(57)【特許請求の範囲】
【請求項１】
内部に収納空間を有する所定長さのケース本体と、このケース本体の長手方向一端側に形成された出し入れ口を開閉可能とする開閉手段とを備えた筆記具ケースにおいて、
前記ケース本体は、前記出し入れ口の反対側に位置する設置部を有する下部ケース形成体と、当該下部ケース本体に組み合わされるとともに前記出し入れ口が形成された上部ケース形成体とからなり、これらケース形成体は、連結部材を介して相互に連結されているとともに、前記ケース本体の長さを変化する方向に相対移動可能に設けられていることを特徴とする筆記具ケース。
【請求項２】
前記ケース本体は、前記設置部により自立可能な形状に設けられていることを特徴とする請求項１記載の筆記具ケース。
【請求項３】
前記上部ケース形成体の上部内周長さは、上部ケース形成体の下部内周長さよりも大きく形成されていることを特徴とする請求項１又は２記載の筆記具ケース。
【請求項４】
前記ケース本体の外側に、前記相対移動を行うための操作部が設けられていることを特徴とする請求項１，２又は３記載の筆記具ケース。
【発明の詳細な説明】
【０００１】
【発明の属する技術分野】
本発明は筆記具ケースに係り、更に詳しくは、筆記具の出し入れを容易に行うことのできる筆記具ケースに関する。
【０００２】
【従来の技術】
従来より、袋状をなすケース本体の出し入れ口に沿ってファスナー等の開閉手段を設けた各種の筆記具ケースが知られている。この種の筆記具ケースとしては、筆記具が軸方向に延びる形状を備えていることとの関係上、その長手方向に沿ってファスナーを設けているものが一般的となっている。
【０００３】
【発明が解決しようとする課題】
しかしながら、前記筆記具ケースにあっては、筆記具の全長がケース本体内に収まった状態となるため、当該筆記具の出し入れを行う場合には、ケースを手に持って目的とする筆記具を探して取り出さなければならないという不都合がある。特に、学習時にマーキングペン等を用いる場合を考えて見ると、色交換を頻繁に行うことが多いのが実状であり、その都度筆記具ケースを手に持つことは非常に面倒となる。
【０００４】
【発明の目的】
本発明は、このような不都合に着目して案出されたものであり、その目的は、使用時に、筆記具の一部を露出させることのできる筆記具ケースを提供することにある。
【０００５】
本発明の他の目的は、筆記具ケースにペン立てとしての機能を担わせて筆記具の出し入れを極めて容易に行うことのできる筆記具ケースを提供することにある。
【０００６】
【課題を解決するための手段】
前記目的を達成するため、本発明は、内部に収納空間を有する所定長さのケース本体と、このケース本体の長手方向一端側に形成された出し入れ口を開閉可能とする開閉手段とを備えた筆記具ケースにおいて、
前記ケース本体は、前記出し入れ口の反対側に位置する設置部を有する下部ケース形成体と、当該下部ケース本体に組み合わされるとともに前記出し入れ口が形成された上部ケース形成体とからなり、これらケース形成体は、連結部材を介して相互に連結されているとともに、前記ケース本体の長さを変化する方向に相対移動可能に設けられる、という構成を採っている。このような構成では、出し入れ口を開放した状態でケース本体の長さを短くすることで、筆記具の一端側をケース本体の外に露出させることができる。従って、筆記具ケースを手に持つことなく筆記具の出し入れを極めて容易に行うことができる。また、前記相対移動量が連結部材によって決定できるとともに、下部ケース形成体と上部ケース形成体の不用意なる分離も規制することができる。
【０００７】
本発明において、前記ケース本体は、前記設置部により自立可能な形状に設けられてる、という構成を採ることができる。このような構成により、筆記具ケースをペン立てとして利用することができる。
【０００９】
また、前記上部ケース形成体の上部内周長さは、上部ケース形成体の下部内周長さよりも大きく形成されている、という構成も併せて採用することができる。このような構成とすれば、出し入れ口を大きく形成することが可能となり、筆記具の出し入れ容易性をもとより確保できる他、筆記具の上端部領域の重なり合いを規制して各筆記具を外側から見易くすることができ、目的とする筆記具の取り出しも容易に行うことができる。
【００１０】
更に、本発明は、前記ケース本体の外側に、前記相対移動を行うための操作部を設けるとよく、これにより、ケース本体の長さ調整を容易に行うことが可能となる。
【００１１】
【実施例】
以下、本発明の実施例を図面を参照しながら説明する。
【００１２】
図１には、本実施例に係る筆記具ケースの概略斜視図が示され、図２には、図１のＡ−Ａ線に沿う矢視断面図が示されている。この図において、筆記具ケース１０は、内部に収納空間Ｓを有する所定長さのケース本体１１と、このケース本体１１の長手方向一端側、すなわち、図１中上端側に形成された出し入れ口１２を開閉可能とする開閉手段としてのチャック１３とを備えて構成されている。
【００１３】
前記ケース本体１１は、下部ケース形成体１５及び上部ケース形成体１６により構成され、下部ケース形成体１５は、下部周壁１７と、この下部周壁１７において、前記出し入れ口１２の反対側となる下端側に設けられた設置部としての底面部１８とを備えた上部開放型に設けられている。本実施例では、図１に示されるように、底面部１８の平面形状が略楕円形状に設けられており、これに対応して下部周壁１７の横断面形状も略楕円形状となるように設けられている。
【００１４】
前記上部ケース形成体１６は、上下両端側を開放する上部周壁２０と、この上部周壁の外周面部分に縫い付けられた閉ループ状の操作部２１とを備えて構成されている。この操作部２１は、上部ケース形成体１６と下部ケース形成体１７との相対移動を行うための摘みとして利用できる他、適宜なストラップを取り付けることもできるようになっている。また、図示例では、一箇所に設けられているが反対側にも設けてもよい。前記上部周壁２０の上端側にはチャック１３が取り付けられ、このチャック１３のスライダ１３Ａをレール１３Ｂに沿って移動させることで、前記出し入れ口１２が開閉可能となっている。ここで、上部周壁２０は横断面形状が略楕円形状となる形状に設けられているとともに、上部内周長さが下部内周長さよりも長く形成され、側面視で反転した末広がり形状に設けられている。
【００１５】
前記下部ケース形成体１５と上部ケース形成体１６は、図２に示されるように、連結部材２５を介して相互に連結されている。この連結部材２５は上下方向に所定寸法を備えた布等からなるシートを上下が開通するように閉ループ状に縫い合わせたものにより構成され、その下端端側領域が下部ケース形成体１５の上部外周面領域に縫い付けられている一方、連結部材２５の上端側領域が上部ケース形成体１６における上下方向中間部の内面側に縫い付けられている。従って、下部ケース形成体１５と上部ケース形成体１６は、連結部材２５の縫い代を除く長さに対応して、ケース本体の長手方向（図１中上下方向）に沿って相対移動可能となり、ケース本体１１を最短長さとしたときに、内部に収納された筆記具Ｐの上部領域が所定量突出するようになっている。
【００１６】
以上の構成において、筆記具ケース１０を机上等において使用するときは、図３ないし図５に示されるように、前記出し入れ口１２を開放状態にするとともに、上部ケース形成体１６を下方に押し下げてケース本体１１の全長を短くする。そして、下部ケース形成体１５の底面部１８を机上面に設置させることで、筆記具ケース１０は自立した姿勢に保たれることとなる。この状態では、出し入れ口１２より上方に筆記具Ｐの上部領域が露出するようになり、ペン立てと同様の機能を発揮することとなり、これにより、筆記具Ｐの出し入れを極めて容易且つ迅速に行うことが可能となる。
【００１７】
なお、前記実施例においては、ケース本体１１の横断面形状は略楕円形状に限らず、ケース本体１１が自立できるものであれば、その他の形状としてもよい。
【００１８】
更に、前記出し入れ口１２は、上部ケース形成体１６の上端から上部周壁２０にかけて側面視Ｌ字状に延びるように設けることも可能であり、また、開閉手段はチャック１３の他、スナップ、面ファスナー等も採用することができる。
【００１９】
【発明の効果】
以上説明したように、本発明によれば、ケース本体が、その長さを変化する方向に相対移動可能に設けられているから、ケース本体の長手方向一端側に形成された出し入れ口を開放した状態でケース本体の長さを短くしたときに、筆記具の一端側をケース本体の外に露出させることができ、筆記具ケースを手に持たなくても筆記具の出し入れを極めて容易に行うことが可能となる。
【００２０】
また、ケース本体は、設置部により自立可能に設けられているため、筆記具ケースをペン立てとして利用することができる。
【００２１】
更に、前記ケース本体を構成する下部ケース形成体と上部ケース形成体が連結部材を介して相互に連結される構成としているから、各ケース形成部材の相対移動量が連結部材によって決定でき、下部ケース形成体と上部ケース形成体の不用意なる分離も規制することが可能となる。
【００２２】
また、前記上部ケース形成体における上部内周長さが上部ケース形成体の下部内周長さよりも大きく形成されている構成では、出し入れ口を大きく形成することが可能となり、筆記具の出し入れ容易性をもとより確保できる他、筆記具の上部領域の重なり合いを規制して各筆記具を外側から見易くすることができ、目的とする筆記具の取り出しも容易に行うことができる。
【００２３】
更に、ケース本体の外側に、長さを調整すべく相対移動を行うための操作部を設けたから、ケース本体の長さ調整を容易に行うことが可能となる。
【図面の簡単な説明】
【図１】実施例に係る筆記具ケースの出し入れ口を閉塞した状態を示す概略斜視図。
【図２】図１のＡ−Ａ線に沿う矢視概略断面図。
【図３】前記出し入れ口を開放した状態を示す概略斜視図。
【図４】前記出し入れ口を開放してケース本体が短くされた状態を示す概略斜視図。
【図５】図４のＢ−Ｂ線に沿う矢視概略断面図。
【符号の説明】
１０  筆記具ケース
１１  ケース本体
１２  出し入れ口
１３  チャック（開閉手段）
１５  下部ケース形成体
１６  上部ケース形成体
１８  底面部（設置部）
２１  操作部
２５  連結部材
Ｓ  収納空間
Ｐ  筆記具
【図１】
0004665337.tif 000002
【図２】
0004665337.tif 000003
【図３】
0004665337.tif 000004
【図４】
0004665337.tif 000005
【図５】
0004665337.tif 000006